(57)【要約】【課題】ＴＶ番組録画装置において、記録媒体の記録可能容量が所定の容量以下の場合、品位の低下したＴＶ番組を消去し、ユーザにとって使い勝手をよくする。【解決手段】制御用マイコンは、予約されているＴＶ番組の録画を開始し（Ｓ２）、録画終了時間になっていない場合（Ｓ３でＮＯ）、デジタルチューナによって受信されたデジタルＴＶ放送信号の受信レベルを検査する（Ｓ５）。この検査の結果、所定以下の場合（Ｓ６でＹＥＳ）、制御用マイコンは受信不能カウンタに記憶されている数に１を加算する（Ｓ７）。そして、受信不能カウンタに記憶されている累積回数が、ユーザによって設定された閾値回数に達したとき（Ｓ８でＹＥＳ）、ＴＶ番組の録画を終了する（Ｓ９）。そして、制御用マイコンは、ＨＤＤの記録可能容量を算出し、算出された記録可能容量が、所定の容量以下の場合、予約録画をしているＴＶ番組のデータを消去する（Ｓ１０）。【選択図】図４
2009100050.tif 000002
【特許請求の範囲】
【請求項１】
テレビジョン（以下、ＴＶという）番組の情報を含むデジタルテレビ放送信号（以下、デジタルＴＶ放送信号という）を受信するデジタルチューナと、
前記デジタルチューナにより受信されたＴＶ番組を記録媒体に録画する記録手段と、
装置各部を制御する制御手段とを備えるＴＶ番組録画装置において、
前記デジタルチューナにより受信されたデジタル放送信号の受信状態を検査する受信状態検査手段と、
前記記録手段によるＴＶ番組の録画中に、前記受信状態検査手段により検査された受信状態が、所定レベル以下の状態（以下、受信不能状態という）であると判断された累積回数（以下、受信不能累積回数という）を算出する受信不能累積回数算出手段と、
前記受信不能累積回数算出手段により算出された前記受信不能累積回数が、ユーザにより設定された回数（以下、閾値回数という）を超えているか否かを判定する受信不能累積回数判定手段と、
前記記録媒体の記録可能な容量（以下、記録可能容量という）を算出する記録可能容量算出手段と、
前記記録媒体に記録されている任意のＴＶ番組を消去するＴＶ番組消去手段とをさらに備え、
前記制御手段は、
前記ＴＶ番組の録画中に、前記受信不能累積回数判定手段によって前記受信不能累積回数が前記閾値回数を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去することを特徴とするＴＶ番組録画装置。
【請求項２】
テレビジョン（以下、ＴＶという）番組の情報を含むデジタルテレビ放送信号（以下、デジタルＴＶ放送信号という）を受信するデジタルチューナと、
前記デジタルチューナにより受信されたＴＶ番組を記録媒体に録画する記録手段と、
装置各部を制御する制御手段とを備えるＴＶ番組録画装置において、
前記デジタルチューナにより受信されたデジタル放送信号の受信状態を検査する受信状態検査手段と、
前記記録手段によるＴＶ番組の録画中に、前記受信状態検査手段により検査された受信状態が、所定レベル以下の状態（以下、受信不能状態という）であると判断された累積時間（以下、受信不能累積時間という）を測定する受信不能累積時間測定手段と、
前記受信不能累積時間測定手段により算出された前記受信不能累積時間が、ユーザにより設定された時間（以下、閾値時間という）を超えているか否かを判定する受信不能累積時間判定手段と、
前記記録媒体の記録可能な容量（以下、記録可能容量という）を算出する記録可能容量算出手段と、
前記記録媒体に記録されている任意のＴＶ番組を消去するＴＶ番組消去手段とをさらに備え、
前記制御手段は、
前記ＴＶ番組の録画中に、前記受信不能累積時間判定手段によって前記受信不能累積時間が前記閾値時間を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去することを特徴とするＴＶ番組録画装置。
【請求項３】
テレビジョン（以下、ＴＶという）番組の情報を含むデジタルテレビ放送信号（以下、デジタルＴＶ放送信号という）を受信するデジタルチューナと、
前記デジタルチューナにより受信されたＴＶ番組を記録媒体に録画する記録手段と、
装置各部を制御する制御手段とを備えるＴＶ番組録画装置において、
前記デジタルチューナにより受信されたデジタル放送信号の受信状態を検査する受信状態検査手段と、
前記記録手段によるＴＶ番組の録画中に、前記受信状態検査手段により検査された受信状態が、所定レベル以下の状態（以下、受信不能状態という）であると判断された累積回数（以下、受信不能累積回数という）を算出する受信不能累積回数算出手段と、
前記受信不能累積回数算出手段により算出された前記受信不能累積回数が、ユーザにより設定された回数（以下、閾値回数という）を超えているか否かを判定する受信不能累積回数判定手段と、
前記記録手段によるＴＶ番組の録画中に、前記受信状態検査手段により検査された受信状態が、前記受信不能状態よりも悪い状態（第２受信不能状態という）であると判断された累積回数（以下、第２受信不能累積回数という）を算出する第２受信不能累積回数算出手段と、
前記第２受信不能累積回数算出手段により算出された前記第２受信不能累積回数が、ユーザにより設定された回数（以下、第２閾値回数という）を超えているか否かを判定する第２受信不能累積回数判定手段と、
前記記録媒体の記録可能な容量（以下、記録可能容量という）を算出する記録可能容量算出手段と、
前記記録媒体に記録されている任意のＴＶ番組を消去するＴＶ番組消去手段とをさらに備え、
前記制御手段は、
前記ＴＶ番組の録画中に、前記受信不能累積回数判定手段によって前記受信不能累積回数が前記閾値回数を超えていると判定されたとき、又は、前記第２受信不能累積回数判定手段によって前記第２受信不能累積回数が前記第２閾値回数を超えていると判定されたとき、
前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去することを特徴とするＴＶ番組録画装置。
【請求項４】
テレビジョン（以下、ＴＶという）番組の情報を含むデジタルテレビ放送信号（以下、デジタルＴＶ放送信号という）を受信するデジタルチューナと、
前記デジタルチューナにより受信されたＴＶ番組を記録媒体に録画する記録手段と、
装置各部を制御する制御手段とを備えるＴＶ番組録画装置において、
前記デジタルチューナにより受信されたデジタル放送信号の受信状態を検査する受信状態検査手段と、
前記記録手段によるＴＶ番組の録画中に、前記受信状態検査手段により検査された受信状態が、所定レベル以下の状態（以下、受信不能状態という）であると判断された累積時間（以下、受信不能累積時間という）を測定する受信不能累積時間測定手段と、
前記受信不能累積時間測定手段により算出された前記受信不能累積時間が、ユーザにより設定された時間（以下、閾値時間という）を超えているか否かを判定する受信不能累積時間判定手段と、
前記記録手段によるＴＶ番組の録画中に、前記受信状態検査手段により検査された受信状態が、前記受信不能状態よりも悪い状態（第２受信不能状態という）であると判断された累積時間（以下、第２受信不能累積時間という）を測定する第２受信不能累積時間測定手段と、
前記第２受信不能累積時間が、ユーザにより設定された時間（以下、第２閾値時間という）を超えているか否かを判定する第２受信不能累積時間判定手段と、
前記記録媒体の記録可能な容量（以下、記録可能容量という）を算出する記録可能容量算出手段と、
前記記録媒体に記録されている任意のＴＶ番組を消去するＴＶ番組消去手段とをさらに備え、
前記制御手段は、
前記ＴＶ番組の録画中に、前記受信不能累積時間判定手段によって前記受信不能累積時間が前記閾値時間を超えていると判定されたとき、又は、前記第２受信不能累積時間判定手段によって前記第２受信不能累積時間が前記第２閾値時間を超えていると判定されたとき、
前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去することを特徴とするＴＶ番組録画装置。
【発明の詳細な説明】
【技術分野】
【０００１】
本発明は、デジタルチューナを備えるＴＶ番組録画装置に関する。
【背景技術】
【０００２】
従来から、デジタルチューナを介してデジタルテレビ放送信号（以下、デジタルＴＶ放送信号という）を受信し、受信した信号に含まれるテレビジョン（以下、ＴＶという）番組をハードディスクドライブ（以下、ＨＤＤという）に録画可能なハードディスクレコーダが知られている。この種のハードディスクレコーダでは、ＴＶ番組の録画を行う際に、気象条件の悪化等の理由によりデジタルＴＶ放送信号の受信レベルが低下し、これによって録画されるＴＶ番組の品位が低下することがある。そして、この種のハードディスクレコーダでは、品位の低下したＴＶ番組であっても録画されるため、ＨＤＤの記録容量が無駄になってしまうという問題がある（例えば、特許文献１乃至特許文献３参照）。
【０００３】
これに対して、特許文献４には、録画中のＴＶ番組について、品位が低下した時間を測定し、品位が低下した時間の割合が録画中のＴＶ番組の全時間に対して許容範囲を超えた場合、既に録画しているＴＶ番組を消去することによりＨＤＤの記録可能容量を確保することができるハードディスクレコーダが開示されている。この種のハードディスクレコーダでは、ＨＤＤの記録容量が無駄になることを防ぐことができる。しかし、一方では、録画中のＴＶ番組に対する品位が低下した時間の割合を算出するための複雑な処理が必要であるという問題がある。また、この種のハードディスクレコーダでは、ＨＤＤの記録可能容量に十分な空きがあるにも関わらず、上記のように許容範囲を超えた場合には、録画済みのＴＶ番組を消去してしまう。従って、品位が低下したＴＶ番組であっても視聴したいというユーザにとっては使い勝手が悪いという問題がある。
【特許文献１】特開平２−１２７３２号公報
【特許文献２】特開２００７−１８０８１４号公報
【特許文献３】特開２００６−２２９７９４号公報
【特許文献４】特開２００５−１７６０８４号公報
【発明の開示】
【発明が解決しようとする課題】
【０００４】
本発明は、上述した問題点を解決するためになされたものであり、記録媒体の記録可能容量が所定の容量以下の場合、品位の低下したＴＶ番組を消去することができ、ユーザにとって使い勝手がよいＴＶ番組録画装置を提供することを目的とする。
【課題を解決するための手段】
【０００５】
上記目的を達成するために請求項１の発明は、テレビジョン（以下、ＴＶという）番組の情報を含むデジタルテレビ放送信号（以下、デジタルＴＶ放送信号という）を受信するデジタルチューナと、前記デジタルチューナにより受信されたＴＶ番組を記録媒体に録画する記録手段と、装置各部を制御する制御手段とを備えるＴＶ番組録画装置において、前記デジタルチューナにより受信されたデジタル放送信号の受信状態を検査する受信状態検査手段と、前記記録手段によるＴＶ番組の録画中に、前記受信状態検査手段により検査された受信状態が、所定レベル以下の状態（以下、受信不能状態という）であると判断された累積回数（以下、受信不能累積回数という）を算出する受信不能累積回数算出手段と、前記受信不能累積回数算出手段により算出された前記受信不能累積回数が、ユーザにより設定された回数（以下、閾値回数という）を超えているか否かを判定する受信不能累積回数判定手段と、前記記録媒体の記録可能な容量（以下、記録可能容量という）を算出する記録可能容量算出手段と、前記記録媒体に記録されている任意のＴＶ番組を消去するＴＶ番組消去手段とをさらに備え、前記制御手段は、前記ＴＶ番組の録画中に、前記受信不能累積回数判定手段によって前記受信不能累積回数が前記閾値回数を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去するものである。
【０００６】
請求項２に記載の発明は、テレビジョン（以下、ＴＶという）番組の情報を含むデジタルテレビ放送信号（以下、デジタルＴＶ放送信号という）を受信するデジタルチューナと、前記デジタルチューナにより受信されたＴＶ番組を記録媒体に録画する記録手段と、装置各部を制御する制御手段とを備えるＴＶ番組録画装置において、前記デジタルチューナにより受信されたデジタル放送信号の受信状態を検査する受信状態検査手段と、前記記録手段によるＴＶ番組の録画中に、前記受信状態検査手段により検査された受信状態が、所定レベル以下の状態（以下、受信不能状態という）であると判断された累積時間（以下、受信不能累積時間という）を測定する受信不能累積時間測定手段と、前記受信不能累積時間測定手段により算出された前記受信不能累積時間が、ユーザにより設定された時間（以下、閾値時間という）を超えているか否かを判定する受信不能累積時間判定手段と、前記記録媒体の記録可能な容量（以下、記録可能容量という）を算出する記録可能容量算出手段と、前記記録媒体に記録されている任意のＴＶ番組を消去するＴＶ番組消去手段とをさらに備え、前記制御手段は、前記ＴＶ番組の録画中に、前記受信不能累積時間判定手段によって前記受信不能累積時間が前記閾値時間を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去するものである。
【０００７】
請求項３に記載の発明は、テレビジョン（以下、ＴＶという）番組の情報を含むデジタルテレビ放送信号（以下、デジタルＴＶ放送信号という）を受信するデジタルチューナと、前記デジタルチューナにより受信されたＴＶ番組を記録媒体に録画する記録手段と、装置各部を制御する制御手段とを備えるＴＶ番組録画装置において、前記デジタルチューナにより受信されたデジタル放送信号の受信状態を検査する受信状態検査手段と、前記記録手段によるＴＶ番組の録画中に、前記受信状態検査手段により検査された受信状態が、所定レベル以下の状態（以下、受信不能状態という）であると判断された累積回数（以下、受信不能累積回数という）を算出する受信不能累積回数算出手段と、前記受信不能累積回数算出手段により算出された前記受信不能累積回数が、ユーザにより設定された回数（以下、閾値回数という）を超えているか否かを判定する受信不能累積回数判定手段と、前記記録手段によるＴＶ番組の録画中に、前記受信状態検査手段により検査された受信状態が、前記受信不能状態よりも悪い状態（第２受信不能状態という）であると判断された累積回数（以下、第２受信不能累積回数という）を算出する第２受信不能累積回数算出手段と、前記第２受信不能累積回数算出手段により算出された前記第２受信不能累積回数が、ユーザにより設定された回数（以下、第２閾値回数という）を超えているか否かを判定する第２受信不能累積回数判定手段と、前記記録媒体の記録可能な容量（以下、記録可能容量という）を算出する記録可能容量算出手段と、前記記録媒体に記録されている任意のＴＶ番組を消去するＴＶ番組消去手段とをさらに備え、前記制御手段は、前記ＴＶ番組の録画中に、前記受信不能累積回数判定手段によって前記受信不能累積回数が前記閾値回数を超えていると判定されたとき、又は、前記第２受信不能累積回数判定手段によって前記第２受信不能累積回数が前記第２閾値回数を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去するものである。
【０００８】
請求項４に記載の発明は、テレビジョン（以下、ＴＶという）番組の情報を含むデジタルテレビ放送信号（以下、デジタルＴＶ放送信号という）を受信するデジタルチューナと、前記デジタルチューナにより受信されたＴＶ番組を記録媒体に録画する記録手段と、装置各部を制御する制御手段とを備えるＴＶ番組録画装置において、前記デジタルチューナにより受信されたデジタル放送信号の受信状態を検査する受信状態検査手段と、前記記録手段によるＴＶ番組の録画中に、前記受信状態検査手段により検査された受信状態が、所定レベル以下の状態（以下、受信不能状態という）であると判断された累積時間（以下、受信不能累積時間という）を測定する受信不能累積時間測定手段と、前記受信不能累積時間測定手段により算出された前記受信不能累積時間が、ユーザにより設定された時間（以下、閾値時間という）を超えているか否かを判定する受信不能累積時間判定手段と、前記記録手段によるＴＶ番組の録画中に、前記受信状態検査手段により検査された受信状態が、前記受信不能状態よりも悪い状態（第２受信不能状態という）であると判断された累積時間（以下、第２受信不能累積時間という）を測定する第２受信不能累積時間測定手段と、前記第２受信不能累積時間が、ユーザにより設定された時間（以下、第２閾値時間という）を超えているか否かを判定する第２受信不能累積時間判定手段と、前記記録媒体の記録可能な容量（以下、記録可能容量という）を算出する記録可能容量算出手段と、前記記録媒体に記録されている任意のＴＶ番組を消去するＴＶ番組消去手段とをさらに備え、前記制御手段は、前記ＴＶ番組の録画中に、前記受信不能累積時間判定手段によって前記受信不能累積時間が前記閾値時間を超えていると判定されたとき、又は、前記第２受信不能累積時間判定手段によって前記第２受信不能累積時間が前記第２閾値時間を超えていると判定されたとき、前記記録可能容量算出手段を用いて、前記記録媒体の記録可能容量を算出し、算出された記録可能容量が、所定の容量以下の場合、前記ＴＶ番組消去手段を用いて、録画しているＴＶ番組を該記録媒体から消去するものである。
【発明の効果】
【０００９】
請求項１に記載の発明によれば、制御手段は、ＴＶ番組の録画中に、受信不能累積回数が閾値回数を超えていると判定されたとき、記録媒体の記録可能容量を算出し、算出された記録可能容量が、所定の容量以下の場合、録画しているＴＶ番組を記録媒体から消去する。そのため、特許文献４の発明と異なり、受信不能累積回数を算出して録画中のＴＶ番組の品位を判断するので処理が簡単である。また、記録媒体の記録可能容量が所定の容量以下の場合は、品位の低下したＴＶ番組を記録媒体から消去することができ、しかも、記録可能容量が所定の容量を超える場合は、録画しているＴＶ番組を視聴することができるので、ユーザにとって使い勝手がよい。
【００１０】
請求項２に記載の発明によれば、制御手段は、ＴＶ番組の録画中に、受信不能累積時間が閾値時間を超えていると判定されたとき、記録媒体の記録可能容量を算出し、算出された記録可能容量が、所定の容量以下の場合、録画しているＴＶ番組を記録媒体から消去する。そのため、記録媒体の記録可能容量が所定の容量以下の場合は、品位の低下したＴＶ番組を記録媒体から消去することができ、しかも、記録可能容量が所定の容量を超える場合は、録画しているＴＶ番組を視聴することができるので、ユーザにとって使い勝手がよい。
【００１１】
請求項３に記載の発明によれば、制御手段は、ＴＶ番組の録画中に、受信不能累積回数が閾値回数を超えていると判定されたとき、又は、第２受信不能累積回数が第２閾値回数を超えていると判定されたとき、記録媒体の記録可能容量を算出し、算出された記録可能容量が、所定の容量以下の場合、録画しているＴＶ番組を記録媒体から消去する。そのため、特許文献４の発明と異なり、受信不能累積回数、及び第２受信不能累積回数を算出して録画中のＴＶ番組の品位を判断するので、処理が簡単である。また、記録媒体の記録可能容量が所定の容量以下の場合は、品位の低下したＴＶ番組を記録媒体から消去することができ、しかも、記録可能容量が所定の容量を超える場合は、録画しているＴＶ番組を視聴することができるので、ユーザにとって使い勝手がよい。
【００１２】
請求項４に記載の発明によれば、制御手段は、ＴＶ番組の録画中に、受信不能累積時間が閾値時間を超えていると判定されたとき、又は、第２受信不能累積時間が第２閾値時間を超えていると判定されたとき、記録媒体の記録可能容量を算出し、算出された記録可能容量が、所定の容量以下の場合、録画しているＴＶ番組を記録媒体から消去するものである。そのため、記録媒体の記録可能容量が所定の容量以下の場合は、品位の低下したＴＶ番組を記録媒体から消去することができ、しかも、記録可能容量が所定の容量を超える場合は、録画しているＴＶ番組を視聴することができるので、ユーザにとって使い勝手がよい。
【発明を実施するための最良の形態】
【００１３】
以下、本発明の第１の実施形態に係るハードディスクレコーダ（ＴＶ番組録画装置）について、図１及び図２を参照して説明する。図１は、テレビジョン（以下、ＴＶという）番組の録画を行うことができるハードディスクレコーダ３と、伝送ケーブル４を介してハードディスクレコーダ３に接続されたテレビ２とから構成されるＴＶ番組録画再生システム１の外観を示し、図２は、ハードディスクレコーダ３の内部構成を示すブロック図である。
【００１４】
テレビ２は、ＴＶ番組等の映像を表示するためのディスプレイ２１と、ＴＶ番組等の音声を出力するためのスピーカ２２と、各種操作を行うための操作部２３と、伝送ケーブル４からＴＶ番組等の情報を受信するためのケーブルインタフェース（図示せず）とを備えている。ハードディスクレコーダ３から出力されたＴＶ番組の映像はディスプレイ２１にて、音声はスピーカ２２にて出力される。
【００１５】
ハードディスクレコーダ３は、ＴＶ番組の情報を含む地上波デジタルテレビ放送信号（以下、デジタルＴＶ放送信号という）を受信するデジタルチューナ３８と、デジタルチューナ３８により受信されたＴＶ番組が録画されるＨＤＤ（ハードディスクドライブ；請求項における記録手段）３７と、ＨＤＤ３７に録画されたＴＶ番組を読取るための読取り部３５と、デジタルチューナ３８により受信されたＴＶ番組をＨＤＤ３７に書込むための書込み部（録画手段）３６とを備える。
【００１６】
また、ハードディスクレコーダ３は、ＴＶ番組の録画、又は再生等の操作をするためにユーザにより操作される操作部３１と、装置各部を制御する制御用マイコン（制御手段）３０と、制御用マイコン３０を動作させるプログラムが記憶されたメモリ部３４と、伝送ケーブル４にＴＶ番組に関する映像信号、及び音声信号を出力する出力部３２と、予約録画開始時間、予約録画終了時間、及び経過時間等の測定を行うためのタイマ部３３とをさらに備える。
【００１７】
制御用マイコン３０は、請求項１における受信状態検査手段、受信不能累積回数算出手段、受信不能累積回数判定手段、記録可能容量算出手段、ＴＶ番組消去手段として機能する。また、制御用マイコン３０は、デジタルチューナ３８によって受信されたＴＶ番組や、読取り部３５によってＨＤＤ３７から読取られたＴＶ番組の再生を行うＴＶ番組再生手段として機能する。
【００１８】
メモリ部３４には、予約録画開始時間、予約録画終了時間、録画するＴＶ番組の再生チャンネル等の情報が記憶されている。これらの情報はユーザによって入力される。また、メモリ部３４には、ＴＶ番組の予約録画中に、デジタルＴＶ放送信号の受信状態が、所定レベル以下の状態（以下、受信不能状態という）であると判断された累積回数を記憶する受信不能カウンタ（受信不能累積回数）と、ユーザにより設定された回数（以下、閾値回数という）とがさらに記憶されている。閾値回数は、録画中のＴＶ番組の品位が低下しているか否かを判断するための基準値である。詳細については後述する。
【００１９】
次に、デジタルチューナ３８により受信されるデジタルＴＶ放送信号の受信レベルについて、図３に示すグラフを参照して説明する。図３は、予約録画開始時間Ｔｓから終了時間ＴｅまでのデジタルＴＶ放送信号の受信レベルを示し、縦軸にデジタルＴＶ放送信号の受信レベルＳを示し、横軸に経過時間Ｔを示す。ここでは、デジタルＴＶ放送信号が受信レベルＳ１以上のとき、ＴＶ番組の品位が良好であるとし、デジタルＴＶ放送信号が受信レベルＳ１未満のとき、ＴＶ番組の品位が低下しており、ユーザにとって視聴し難いＴＶ番組であるものとする。
【００２０】
図３に示すように、予約録画開始時間Ｔｓから予約録画終了時間Ｔｅまでの間、一定間隔毎に、制御用マイコン３０はデジタルＴＶ放送信号の受信レベルＳの検査を行う。ここでは、時間Ｔ１〜Ｔ７のときに検査を行うものとし、図３に示すように、時間Ｔ２〜Ｔ６の検査において受信レベルがＳ１を下回っている。そのため、予約録画終了時間Ｔｅまでに、受信不能カウンタには５の値が記憶される。ここで、ユーザにより閾値回数が３回と設定されていた場合、制御用マイコン３０は、時間Ｔ４の時点で予約録画を終了すると共に、既に録画したＴＶ番組を消去する処理を行う。本処理の詳細については図４を参照して説明する。
【００２１】
次に、ＴＶ番組の予約録画処理について、図４に示すフローチャートを参照して説明する。まず、制御用マイコン３０は、受信不能カウンタに記憶されている値をリセットし（Ｓ１）、予約されているＴＶ番組の録画を開始する（Ｓ２）。そして、録画終了時間になった場合（Ｓ３でＹＥＳ）、ＴＶ番組の録画を終了する（Ｓ１１）。
【００２２】
一方、録画終了時間になっていない場合（Ｓ３でＮＯ）、前回のデジタルＴＶ放送信号の受信レベルの検査から一定時間（例えば、０．５秒）が経過したとき（Ｓ４でＹＥＳ）、制御用マイコン３０は、デジタルチューナ３８によって受信されたデジタルＴＶ放送信号の受信レベルを検査する（Ｓ５）。一方、一定時間が経過していないとき（Ｓ４でＮＯ）、制御用マイコン３０は、上記Ｓ３以降の処理を繰り返す。
【００２３】
上記Ｓ５における検査の結果、受信レベルが所定以下（例えば、図３のＳ１以下）の場合（Ｓ６でＹＥＳ）、制御用マイコン３０は受信不能カウンタに記憶されている数に１を加算する（Ｓ７）。そして、受信不能カウンタに記憶されている累積回数が、ユーザによって設定された閾値回数に達した（ＴＶ番組の品位が低下していると判定された）とき（Ｓ８でＹＥＳ）、ＴＶ番組の録画を終了する（Ｓ９）。一方、達していない場合（Ｓ８でＮＯ）、上記Ｓ３以降の処理を繰り返す。
【００２４】
そして、上記Ｓ９の処理後、制御用マイコン３０は、ＨＤＤ３７に録画されたＴＶ番組に対してデータ消去処理を行う（Ｓ１０）。なお、データ消去処理の詳細については後述する。
【００２５】
次に、上記Ｓ１０におけるデータ消去処理の詳細について、図５に示すフローチャートを参照して説明する。制御用マイコン３０は、ＨＤＤ３７のその時点の記録可能容量（残容量）を算出し（Ｓ１０１）、算出された記録可能容量が、所定の容量以下の場合（Ｓ１０２でＹＥＳ）、予約録画をしているＴＶ番組のデータを消去する（Ｓ１０３）。例えば、記録可能容量が、ＨＤＤ３７の全記録容量に対して２０％以下である場合、予約録画をしているＴＶ番組のデータを消去する。一方、所定の容量を越える場合（Ｓ１０２でＮＯ）、例えば、２０％を越える場合、上記Ｓ１０３の処理は行わない。なお、上記Ｓ１０２の処理における所定の容量は、全記録容量の２０％に限られず、ＨＤＤ３７の全記録容量に対する任意の割合であってもよい。
【００２６】
上述したように、本実施形態に係るハードディスクレコーダ３によれば、制御用マイコン３０は、ＴＶ番組の予約録画中に、受信不能カウンタの値が閾値回数を超えていると判定したとき、ＨＤＤ３７の記録可能容量を算出し、算出された記録可能容量が、所定の容量以下の場合、録画しているＴＶ番組をＨＤＤ３７から消去する。そのため、特許文献４の発明と異なり、受信不能状態の回数を算出して録画中のＴＶ番組の品位を判断するので、処理が簡単である。また、ＨＤＤ３７の記録可能容量が所定の容量以下の場合は、品位の低下したＴＶ番組をＨＤＤ３７から消去することができ、しかも、記録可能容量が所定の容量を超える場合は、録画しているＴＶ番組を視聴することができるので、ユーザにとって使い勝手がよい。
【００２７】
次に、本発明の第２の実施形態に係るハードディスクレコーダについて、図面を参照して説明する。このハードディスクレコーダ３は、上述した図１及び図２と同様の構成であり、構成の説明は省略する。
【００２８】
制御用マイコン３０は、請求項２における受信状態検査手段、受信不能累積時間算出手段、受信不能累積時間判定手段、記録可能容量算出手段、ＴＶ番組消去手段として機能する。また、制御用マイコン３０は、デジタルチューナ３８によって受信されたＴＶ番組や、読取り部３５によってＨＤＤ３７から読取られたＴＶ番組の再生を行うＴＶ番組再生手段として機能する。
【００２９】
メモリ部３４には、予約録画開始時間、予約録画終了時間、録画するＴＶ番組の再生チャンネル等の情報が記憶されている。これらの情報はユーザによって入力される。また、メモリ部３４には、ＴＶ番組の予約録画中に、デジタルＴＶ放送信号が、受信不能状態であると判断された累積時間を記憶する受信不能タイマ（受信不能累積時間）と、ユーザにより設定された時間（以下、閾値時間という）とがさらに記憶されている。閾値時間は、録画中のＴＶ番組の品位が低下しているか否かを判断するための基準値である。詳細は後述する。
【００３０】
次に、デジタルチューナ３８により受信されるデジタルＴＶ放送信号の受信レベルについて、図６に示すグラフを参照して説明する。図６は、上記図３に示したグラフと同様に、予約録画開始時間Ｔｓから終了時間ＴｅまでのデジタルＴＶ放送信号の受信レベルを示し、縦軸にデジタルＴＶ放送信号の受信レベルＳを示し、横軸に経過時間Ｔを示す。
【００３１】
図６に示すように、予約録画開始時間Ｔｓから予約録画終了時間Ｔｅまでの間に、４回、受信レベルがＳ１を下回っている。そのため、予約録画終了時間Ｔｅまでに、受信不能タイマには、時間Ｉ１＋時間Ｉ２＋時間Ｉ３＋時間Ｉ４の累積時間が記憶されている。ここで、ユーザにより設定された閾値時間が、（時間Ｉ１＋時間Ｉ２＋時間Ｉ３）の合計時間と同じである場合、制御用マイコン３０は、時間Ｔａにおける時点で予約録画を終了すると共に、既に録画したＴＶ番組を消去する処理を行う。本処理の詳細については図７を参照して説明する。
【００３２】
次に、ＴＶ番組の予約録画処理について、図７に示すフローチャートを参照して説明する。まず、制御用マイコン３０は、受信不能タイマに記憶されている累積時間をリセットし（Ｓ２１）、予約されているＴＶ番組の録画を開始する（Ｓ２２）。そして、録画終了時間になった場合（Ｓ２３でＹＥＳ）、ＴＶ番組の録画を終了する（Ｓ３２）。
【００３３】
一方、録画終了時間になっていない場合（Ｓ２３でＮＯ）、受信不能タイマの累積時間と閾値時間が同じになったとき（Ｓ２４でＹＥＳ）、制御用マイコン３０は、ＴＶ番組の録画を終了し（Ｓ３０）、データ消去処理を行う（Ｓ３１）。なお、Ｓ３１におけるデータ消去処理は、上記図５の処理と同じため説明を省略する。
【００３４】
一方、受信不能タイマの累積時間と閾値時間が同じではない場合（Ｓ２４でＮＯ）、制御用マイコン３０は、デジタルＴＶ放送信号の受信状態が変化したとき（Ｓ２５でＹＥＳ）、デジタルチューナ３８によって受信されたデジタルＴＶ放送信号の受信レベルを検査する（Ｓ２６）。一方、受信状態が変化していないとき（Ｓ２５でＮＯ）、制御用マイコン３０は、上記Ｓ２３以降の処理を繰り返す。
【００３５】
上記Ｓ２６における検査の結果、受信レベルが所定以下（例えば、図８のＳ１以下）の場合（Ｓ２７でＹＥＳ）、制御用マイコン３０は、受信不能タイマをスタートさせ（Ｓ２８）、上記Ｓ２３以降の処理を行う。一方、受信レベルが所定値を越える場合（Ｓ２７でＮＯ）、制御用マイコン３０は、受信不能タイマをストップさせ（Ｓ２９）。上記Ｓ２３以降の処理を行う。
【００３６】
上述したように、本実施形態に係るハードディスクレコーダ３によれば、制御用マイコン３０は、ＴＶ番組の予約録画中に、受信不能タイマの累積時間が閾値時間を超えていると判定したとき、ＨＤＤ３７の記録可能容量を算出し、算出された記録可能容量が、所定の容量以下の場合、録画しているＴＶ番組をＨＤＤ３７から消去する。そのため、ＨＤＤ３７の記録可能容量が所定の容量以下の場合は、品位の低下したＴＶ番組をＨＤＤ３７から消去することができ、しかも、記録可能容量が所定の容量を超える場合は、録画しているＴＶ番組を視聴することができるので、ユーザにとって使い勝手がよい。
【００３７】
次に、本発明の第３の実施形態に係るハードディスクレコーダについて、図面を参照して説明する。このハードディスクレコーダ３は、上述した図１及び図２と同様の構成であり、構成の説明は省略する。
【００３８】
制御用マイコン３０は、請求項３における受信状態検査手段、受信不能累積回数算出手段、第２受信不能累積回数算出手段、受信不能累積回数判定手段、第２受信不能累積回数判定手段、記録可能容量算出手段、ＴＶ番組消去手段として機能する。また、制御用マイコン３０は、デジタルチューナ３８によって受信されたＴＶ番組や、読取り部３５によってＨＤＤ３７から読取られたＴＶ番組の再生を行うＴＶ番組再生手段として機能する。
【００３９】
メモリ部３４には、予約録画開始時間、予約録画終了時間、録画するＴＶ番組の再生チャンネル等の情報が記憶されている。これらの情報はユーザによって入力される。また、メモリ部３４には、ＴＶ番組の予約録画中に、デジタルＴＶ放送信号の受信状態が、所定レベル以下の状態（以下、第１受信不能状態という）であると判断された累積回数を記憶する第１受信不能カウンタ（受信不能累積回数）と、デジタルＴＶ放送信号の受信状態が第１受信不能状態よりも悪い状態（第２受信不能状態という）であると判断された累積回数を記憶する第２受信不能カウンタ（第２受信不能累積回数）と、ユーザにより設定された第１閾値回数と、第２閾値回数とがさらに記憶されている。第１閾値回数は、録画中のＴＶ番組の品位が低下しているか否かを判断する基準値であり、第２閾値回数は、録画中のＴＶ番組が受信できるか否かを判断するための基準値である。詳細については後述する。
【００４０】
次に、デジタルチューナ３８により受信されるデジタルＴＶ放送信号の受信レベルについて、図８に示すグラフを参照して説明する。図８は、予約録画開始時間Ｔｓから終了時間ＴｅまでのデジタルＴＶ放送信号の受信レベルを示し、縦軸にデジタルＴＶ放送信号の受信レベルＳを示し、横軸に経過時間Ｔを示す。ここでは、デジタルＴＶ放送信号が受信レベルＳ１以上のとき、ＴＶ番組の品位が良好であるとし、デジタルＴＶ放送信号が受信レベルＳ１未満のとき、ＴＶ番組の品位が低下しており、ユーザにとって視聴し難いＴＶ番組であるものとする。また、さらに、デジタルＴＶ放送信号が受信レベルＳ２のとき、デジタルＴＶ放送信号が受信できない状態、所謂、ノーシグナル状態であるものとする。
【００４１】
図８に示すように、予約録画開始時間Ｔｓから予約録画終了時間Ｔｅまでの間に、一定間隔毎に、制御用マイコン３０はデジタルＴＶ放送信号の受信レベルＳの検査を行う。ここでは、時間Ｔ１〜Ｔ７のときに検査を行うものとし、図３に示すように、時間Ｔ２〜Ｔ６の検査において受信レベルがＳ１を下回っており、時間Ｔ５、Ｔ６においてノーシグナルＳ２状態である。そのため、予約録画終了時間Ｔｅまでに、第１受信不能カウンタには５の値が記憶され、第２受信不能カウンタには２の値が記憶される。ここで、ユーザにより第１閾値回数が３回と設定されていた場合、制御用マイコン３０は、時間Ｔ４の時点で予約録画を終了すると共に、既に録画したＴＶ番組を消去する処理を行う。また、ユーザにより第１閾値回数が１回、第２閾値回数に２回と設定されていた場合、制御用マイコン３０は、時間Ｔ６の時点で予約録画を終了すると共に、既に録画したＴＶ番組を消去する処理を行う。本処理の詳細については図９、及び図１０を参照して説明する。
【００４２】
次に、ＴＶ番組の予約録画処理について、図９、及び図１０に示すフローチャートを参照して説明する。まず、制御用マイコン３０は、第１受信不能カウンタ、及び第２受信不能カウンタに記憶されている値をリセットし（Ｓ４１）、予約されているＴＶ番組の録画を開始する（Ｓ４２）。そして、録画終了時間になった場合（Ｓ４３でＹＥＳ）、ＴＶ番組の録画を終了する（Ｓ５３）。
【００４３】
一方、録画終了時間になっていない場合（Ｓ４３でＮＯ）、前回のデジタルＴＶ放送信号の受信レベルの検査から一定時間（例えば、０．５秒）が経過したとき（Ｓ４４でＹＥＳ）、制御用マイコン３０は、デジタルチューナ３８によって受信されたデジタルＴＶ放送信号の受信レベルを検査する（Ｓ４５）。一方、一定時間が経過していないとき（Ｓ４４でＮＯ）、制御用マイコン３０は、上記Ｓ４３以降の処理を繰り返す。
【００４４】
上記Ｓ４５における検査の結果、受信レベルが所定以下（例えば、図８のＳ１以下）の場合（Ｓ４６でＹＥＳ）、制御用マイコン３０は、第１受信不能カウンタに記憶されている数に１を加算する（Ｓ４７）。そして、受信レベルがノーシグナルではあるとき（Ｓ４８でＹＥＳ）、第２受信不能カウンタに記憶されている数に１を加算する（Ｓ４９）。一方、受信レベルがノーシグナル（例えば、図８のＳ２に相当）ではないとき（Ｓ４８でＮＯ）、上記Ｓ４９の処理を行わない。
【００４５】
そして、第１受信不能カウンタに記憶されている第１累積回数が第１閾値回数に達した（ＴＶ番組の品位が低下していると判定された）とき、又は、第２受信不能カウンタに記憶されている第２累積回数が第２閾値回数に達した（ＴＶ番組の品位が低下していると判定された）とき（Ｓ５０でＹＥＳ）、ＴＶ番組の録画を終了し（Ｓ５１）、データ消去処理を行う（Ｓ５２）。なお、Ｓ５２におけるデータ消去処理は、上記図５の処理と同じため説明を省略する。
【００４６】
一方、第１累積回数が第１閾値回数に達していなく、かつ、第２累積回数が第２閾値回数に達していないとき（Ｓ５０でＮＯ）、上記Ｓ４３以降の処理を繰り返す。
【００４７】
上述したように、本実施形態に係るハードディスクレコーダ３によれば、制御用マイコン３０は、ＴＶ番組の予約録画中に、第１受信不能カウンタの値が第１閾値回数を超えていると判定されたとき、又は、第２受信不能カウンタの値が第２閾値回数を超えていると判定されたとき、ＨＤＤ３７の記録可能容量を算出し、算出された記録可能容量が、所定の容量以下の場合、録画しているＴＶ番組をＨＤＤ３７から消去する。そのため、特許文献４の発明と異なり、受信不能状態の累積回数を算出して録画中のＴＶ番組の品位を判断するので、処理が簡単である。
【００４８】
また、第１受信不能カウンタの値、及び、第２受信不能カウンタの値を用いて、ＴＶ番組の品位の低下を判定するので、品位の低下を正確に判定することができる。また、ＨＤＤ３７の記録可能容量が所定の容量以下の場合は、品位の低下したＴＶ番組をＨＤＤ３７から消去することができ、しかも、記録可能容量が所定の容量を超える場合は、録画しているＴＶ番組を視聴することができるので、ユーザにとって使い勝手がよい。
【００４９】
次に、本発明の第４の実施形態に係るハードディスクレコーダについて、図面を参照して説明する。このハードディスクレコーダ３は、上述した図１及び図２と同様の構成であり、構成の説明は省略する。
【００５０】
制御用マイコン３０は、請求項４における受信状態検査手段、受信不能累積時間算出手段、第２受信不能累積時間算出手段、受信不能累積時間判定手段、第２受信不能累積時間判定手段、記録可能容量算出手段、ＴＶ番組消去手段として機能する。また、制御用マイコン３０は、デジタルチューナ３８によって受信されたＴＶ番組や、読取り部３５によってＨＤＤ３７から読取られたＴＶ番組の再生を行うＴＶ番組再生手段として機能する。
【００５１】
メモリ部３４には、予約録画開始時間、予約録画終了時間、録画するＴＶ番組の再生チャンネル等の情報が記憶されている。これらの情報はユーザによって入力される。また、メモリ部３４には、ＴＶ番組の予約録画中に、デジタルＴＶ放送信号の受信状態が、所定レベル以下の状態（以下、第１受信不能状態という）であると判断された累積時間を記憶する第１受信不能タイマ（受信不能累積時間）と、デジタルＴＶ放送信号の受信状態が第１受信不能状態よりも悪い状態（第２受信不能状態という）であると判断された累積回数を記憶する第２受信不能タイマ（第２受信不能累積時間）と、ユーザにより設定された第１閾値時間と、第２閾値時間とがさらに記憶されている。第１閾値回数は、録画中のＴＶ番組の品位が低下しているか否かを判断するための基準値であり、第２閾値時間は、録画中のＴＶ番組が受信できるか否かを判断するための基準値である。詳細については後述する。
【００５２】
次に、デジタルチューナ３８により受信されるデジタルＴＶ放送信号の受信レベルについて、図１１に示すグラフを参照して説明する。図１１は、予約録画開始時間Ｔｓから終了時間ＴｅまでのデジタルＴＶ放送信号の受信レベルを示し、縦軸にデジタルＴＶ放送信号の受信レベルＳを示し、横軸に経過時間Ｔを示す。ここでは、デジタルＴＶ放送信号が受信レベルＳ１以上のとき、ＴＶ番組の品位が良好であるとし、デジタルＴＶ放送信号が受信レベルＳ１未満のとき、ＴＶ番組の品位が低下しており、ユーザにとって視聴し難いＴＶ番組であるものとする。また、さらに、デジタルＴＶ放送信号が受信レベルＳ２のとき、デジタルＴＶ放送信号が受信できない状態、所謂、ノーシグナル状態であるものとする。
【００５３】
図１１に示すように、予約録画開始時間Ｔｓから予約録画終了時間Ｔｅまでの間に、時間Ｉ１、Ｉ２において受信レベルがＳ１を下回っており、第１受信不能タイマには、時間Ｉ１＋時間Ｉ２の累積時間が記憶されている。また、時間Ｊ１、Ｊ２において受信レベルがノーシグナルＳ２の状態であり、予約録画終了時間Ｔｅまでに、第２受信不能タイマには、時間Ｊ１＋時間Ｊ２の累積時間が記憶される。
【００５４】
ユーザにより設定された第１閾値時間が時間Ｉ１＋時間Ｉ２と同じである場合、制御用マイコン３０は、時間Ｔｂにおける時点で予約録画を終了すると共に、既に録画したＴＶ番組を消去する処理を行う。また、ユーザにより設定された第２閾値時間が時間Ｊ１＋時間Ｊ２と同じである場合、制御用マイコン３０は、時間Ｔｃにおける時点で予約録画を終了すると共に、既に録画したＴＶ番組を消去する処理を行う。本処理の詳細については図１２、及び図１３を参照して説明する。
【００５５】
次に、ＴＶ番組の予約録画処理について、図１２、及び図１３に示すフローチャートを参照して説明する。まず、制御用マイコン３０は、第１受信不能タイマ、及び第２受信不能タイマに記憶されている累積時間をリセットし（Ｓ６１）、予約されているＴＶ番組の録画を開始する（Ｓ６２）。そして、録画終了時間になった場合（Ｓ６３でＹＥＳ）、ＴＶ番組の録画を終了する（Ｓ７４）。
【００５６】
一方、録画終了時間になっていない場合（Ｓ６３でＮＯ）、第１受信不能タイマの累積時間が第１閾値時間に達した（ＴＶ番組の品位が低下していると判定された）とき、又は、第２受信不能タイマの累積時間が第２閾値時間に達した（ＴＶ番組の品位が低下していると判定された）とき（Ｓ６４でＹＥＳ）、制御用マイコン３０は、ＴＶ番組の録画を終了し（Ｓ７２）、データ消去処理を行う（Ｓ７３）。なお、Ｓ７３におけるデータ消去処理は、上記図５の処理と同じため説明を省略する。
【００５７】
一方、第１受信不能タイマの累積時間が第１閾値時間に達していなく、かつ、第２受信不能タイマの累積時間が第２閾値時間に達していないとき（Ｓ６４でＮＯ）、制御用マイコン３０は、デジタルＴＶ放送信号の受信状態が変化したとき（Ｓ６５でＹＥＳ）、デジタルチューナ３８によって受信されたデジタルＴＶ放送信号の受信レベルを検査する（Ｓ６６）。一方、受信状態が変化していないとき（Ｓ６５でＮＯ）、制御用マイコン３０は、上記Ｓ６３以降の処理を繰り返す。
【００５８】
上記Ｓ６６における検査の結果、受信レベルが所定以下（例えば、図１１のＳ１以下）の場合（Ｓ６７でＹＥＳ）、第１受信不能タイマをスタートさせた後（Ｓ６８）、受信レベルがノーシグナル（例えば、図１１のＳ２）ではないとき（Ｓ６９でＮＯ）、制御用マイコン３０は、第２受信不能タイマをストップさせ（Ｓ７０）、上記Ｓ６３以降の処理を行う。一方、受信レベルがノーシグナルであるとき（Ｓ６９でＹＥＳ）、制御用マイコン３０は、第２受信不能タイマをスタートさせ（Ｓ７１）、上記Ｓ６３以降の処理を行う。
【００５９】
一方、上記Ｓ６６の検査の結果、受信レベルが所定以下ではない場合（Ｓ６７でＮＯ）、制御用マイコン３０は、第１受信不能タイマをストップさせ（Ｓ７２）、上記Ｓ６３以降の処理を行う。
【００６０】
上記のように、本実施形態に係るデジタルテレビ１によれば、制御用マイコン３０は、ＴＶ番組の予約録画中に、第１受信不能タイマの累積時間が第１閾値時間を超えていると判定されたとき、又は、第２受信不能タイマの累積時間が第２閾値時間を超えていると判定されたとき、ＨＤＤ３７の記録可能容量を算出し、算出された記録可能容量が、所定の容量以下の場合、録画しているＴＶ番組をＨＤＤ３７から消去する。そのため、特許文献４の発明と異なり、受信不能状態の累積回数を算出して録画中のＴＶ番組の品位を判断するので、処理が簡単である。
【００６１】
また、第１受信不能タイマの累積時間、及び、第２受信不能タイマの累積時間を用いて、ＴＶ番組の品位の低下を判定するので、品位の低下を正確に判定することができる。また、ＨＤＤ３７の記録可能容量が所定の容量以下の場合は、品位の低下したＴＶ番組をＨＤＤ３７から消去することができ、しかも、記録可能容量が所定の容量を超える場合は、録画しているＴＶ番組を視聴することができるので、ユーザにとって使い勝手がよい。
【００６２】
なお、本発明は、上記実施形態の構成に限られず、発明の趣旨を変更しない範囲で種々の変形が可能である。例えば、上記実施形態では、ＴＶ番組をＨＤＤ３７に録画する例を示したが、ＤＶＤ−ＲＷ等の記録媒体に記録してもよい。
【図面の簡単な説明】
【００６３】
【図１】本発明の第１の実施形態に係るハードディスクレコーダと、このハードディスクレコーダに接続されたテレビの外観を示す傾斜図。
【図２】上記ハードディスクレコーダの内部構成を示すブロック図。
【図３】上記ハードディスクレコーダのデジタルＴＶ放送信号の受信状態を示すグラフ。
【図４】上記ハードディスクレコーダにおけるＴＶ番組録画処理を示すフローチャート。
【図５】上記ＴＶ番組録画処理におけるデータ消去処理の詳細を示すフローチャート。
【図６】本発明の第２の実施形態に係るハードディスクレコーダのデジタルＴＶ放送信号の受信状態を示すグラフ。
【図７】上記ハードディスクレコーダにおけるＴＶ番組録画処理を示すフローチャート。
【図８】本発明の第３の実施形態に係るハードディスクレコーダのデジタルＴＶ放送信号の受信状態を示すグラフ。
【図９】上記ハードディスクレコーダにおけるＴＶ番組録画処理を示すフローチャート。
【図１０】上記ハードディスクレコーダにおけるＴＶ番組録画処理を示すフローチャート。
【図１１】本発明の第４の実施形態に係るハードディスクレコーダのデジタルＴＶ放送信号の受信状態を示すグラフ。
【図１２】上記ハードディスクレコーダにおけるＴＶ番組録画処理を示すフローチャート。
【図１３】上記ハードディスクレコーダにおけるＴＶ番組録画処理を示すフローチャート。
【符号の説明】
【００６４】
３  ハードディスクレコーダ（ＴＶ番組録画装置）
３０  制御用マイコン（制御手段）
３７  ＨＤＤ（記録手段）
３８  チューナ（デジタルチューナ）
【図１】
2009100050.tif 000003
【図２】
2009100050.tif 000004
【図３】
2009100050.tif 000005
【図４】
2009100050.tif 000006
【図５】
2009100050.tif 000007
【図６】
2009100050.tif 000008
【図７】
2009100050.tif 000009
【図８】
2009100050.tif 000010
【図９】
2009100050.tif 000011
【図１０】
2009100050.tif 000012
【図１１】
2009100050.tif 000013
【図１２】
2009100050.tif 000014
【図１３】
2009100050.tif 000015